(57)【要約】【課題】デュワ側のトランスファラインを差し込んだまま閉塞を解除できる冷媒注入用トランスファラインを実現する。【解決手段】冷媒が貯蔵されたコンテナに一端が挿入され二重管よりなるコンテナ側トランスファラインと、デュワに一端が挿入され二重管よりなるデュワ側トランスファラインと、前記コンテナ側トランスファラインの他端と前記デュワ側トランスファラインの他端とを連結するバヨネットとを具備する冷媒注入用トランスファラインにおいて、前記デュワ側トランスファラインの他端の前記二重管の内管と外管との間の設けられた加熱手段を具備したことを特徴とする冷媒注入用トランスファラインである。【選択図】図１
2010196967.tif 000002
【特許請求の範囲】
【請求項１】
冷媒が貯蔵されたコンテナに一端が挿入され二重管よりなるコンテナ側トランスファラインと、デュワに一端が挿入され二重管よりなるデュワ側トランスファラインと、前記コンテナ側トランスファラインの他端と前記デュワ側トランスファラインの他端とを連結するバヨネットとを具備する冷媒注入用トランスファラインにおいて、
前記デュワ側トランスファラインの他端の前記二重管の内管と外管との間の設けられた加熱手段
を具備したことを特徴とする冷媒注入用トランスファライン。
【請求項２】
前記加熱手段はヒータと、
前記ヒータに一端が接続された配線と
を具備したことを特徴とする請求項１記載の冷媒注入用トランスファライン。
【請求項３】
前記配線は前記外管の内側に接するように設けられたこと
を特徴とする請求項２記載の冷媒注入用トランスファライン。
【発明の詳細な説明】
【技術分野】
【０００１】
本発明は、冷媒注入用トランスファラインに関するものである。
更に詳述すれば、例えば、クライオスタットにヘリウム等の冷媒を供給するときに使用する移送管（トランスファライン）に関するものである。
更に詳しくは、移送管の閉塞を解除する機構に関するものである。
【背景技術】
【０００２】
図３は従来より一般に使用されている従来例の要部構成説明図で、ヘリウムなどの超低温の液状の冷媒を、冷媒コンテナからデュワに供給する際の配管図である。
図において、コンテナ側トランスファライン１１は、冷媒１２が貯蔵された冷媒コンテナ１３に一端が挿入され、外管１１１と内管１１２との二重管よりなる。
外管１１１と内管１１２との間は、真空に保たれている。
【０００３】
デュワ側トランスファライン１４は、デュワ１５に一端が挿入され、外管１４１と内管１４２との二重管よりなる。
外管１４１と内管１４２との間は、真空に保たれている。
即ち、トランスファライン１１は真空断熱部をもつ真空２重管１１１、１１２で構成され、トランスファライン１４は真空断熱部をもつ真空２重管１４１、１４２で構成されている。
【０００４】
バヨネット１６は、コンテナ側トランスファライン１１の他端とデュワ側トランスファライン１４の他端とを連結する。
加圧ガス管１７は、冷媒コンテナ１３に設けられている。
排気管１８は、デュワ１５に設けられている。
【０００５】
以上の構成において、冷媒の移送は、トランスファライン１１、１４をバヨネットと呼ばれる接合口１６で接続し、冷媒コンテナ１３に、加圧ガス管１７から加圧ガスで圧力を加え押し出すことで行われる。
【０００６】
即ち、冷媒１２が押し出されてトランスファライン１６、１４を通ってデュワ１５に供給される。
トランスファライン１１は真空断熱部をもつ真空２重管１１１、１１２で構成され、トランスファライン１４は真空断熱部をもつ真空２重管１４１、１４２で構成されている。
【先行技術文献】
【特許文献】
【０００７】
【特許文献１】実開平０５−００３２００号公報
【特許文献２】特開平０５−０７９７１８号公報
【特許文献３】特開平０９−１０７１３１号公報
【特許文献４】特開２００３−２５４６５３号公報
【特許文献５】特開２００６−１０５５３３号公報
【発明の概要】
【発明が解決しようとする課題】
【０００８】
このような装置においては、以下の問題点がある。
トランスファラインはバヨネット部１６でコンテナ側トランスファライン１１とデュワ側トランスファライン１４を気密接続することで注液が可能になるが、この際、空気が混入し易く、内管１４２の先端部において、空気や水が固まり閉塞状態を引起し易いという問題点がある。
【０００９】
閉塞した場合、一旦デュワ側トランスファライン１４を引き抜き、常温に戻してから、再挿入しなければならず、ヘリウムの損失が非常に多く、また再注液にも時間がかかるという問題もある。
【００１０】
本発明の目的は、上記の課題を解決するもので、デュワ側のトランスファラインを差し込んだまま閉塞を解除できる冷媒注入用トランスファラインを提供することにある。
【課題を解決するための手段】
【００１１】
このような課題を達成するために、本発明では、請求項１の冷媒注入用トランスファラインにおいては、
冷媒が貯蔵されたコンテナに一端が挿入され二重管よりなるコンテナ側トランスファラインと、デュワに一端が挿入され二重管よりなるデュワ側トランスファラインと、前記コンテナ側トランスファラインの他端と前記デュワ側トランスファラインの他端とを連結するバヨネットとを具備する冷媒注入用トランスファラインにおいて、
前記デュワ側トランスファラインの他端の前記二重管の内管と外管との間の設けられた加熱手段を具備したことを特徴とする。
【００１２】
本発明の請求項２の冷媒注入用トランスファラインにおいては、請求項１記載の冷媒注入用トランスファラインにおいて、
前記加熱手段はヒータと、前記ヒータに一端が接続された配線とを具備したことを特徴とする。
【００１３】
本発明の請求項３の冷媒注入用トランスファラインにおいては、請求項１記載の冷媒注入用トランスファラインにおいて、
前記配線は前記外管の内側に接するように設けられたことを特徴とする。
【発明の効果】
【００１４】
本発明の請求項１によれば、次のような効果がある。
加熱手段がトランスファラインに設置されているため、トランスファライン１４をデュワから引き抜かなくても閉塞解除でき、閉塞時のヘリウムのロスを最小に抑えることができる冷媒注入用トランスファラインが得られる。
【００１５】
本発明の請求項２によれば、次のような効果がある。
加熱手段はヒータと、ヒータに一端が接続された配線とが設けられたので、加熱手段が簡潔に構成でき、安価な冷媒注入用トランスファラインが得られる。
【００１６】
本発明の請求項３によれば、次のような効果がある。
配線は、外管への熱伝導により配線が冷却されるため、外部からの熱伝導侵入熱を低減できる冷媒注入用トランスファラインが得られる。
【図面の簡単な説明】
【００１７】
【図１】本発明の一実施例の要部構成説明図である。
【図２】図１の要部構成説明図である。
【図３】従来より一般に使用されている従来例の構成説明図である。
【発明を実施するための形態】
【００１８】
以下本発明を図面を用いて詳細に説明する。
図１は本発明の一実施例の要部構成説明図、図２は図１の要部構成説明図である。
図において、図３と同一記号の構成は同一機能を表す。
以下、図３との相違部分のみ説明する。
【００１９】
図１において、加熱手段２１は、デュワ側トランスファライン１４の他端の二重管の内管１４２と外管１４１との間の設けられている。
この場合は、加熱手段２１はヒータ２１１と、ヒータ２１１に一端が接続された配線２１２とを有する。
【００２０】
この場合は、配線２１２は、外管１４１の内側に接するように設けられている。
２２は、配線２１２の他端が接続された電源である。
即ち、デュワ側トランスファライン１４の先端にヒータ２１１が接続されており外管１４１及び内管１４２の間の真空層に配置された配線２１２を通じ電源２２に接続される。
【００２１】
以上の構成において、閉塞は、初期冷却時にすでに冷却されている部分すなわち、トランスファライン１４の先端付近で空気や水が固化することで発生するため、閉塞時にヒータ２１１に通電し、固化した部分を気化することで閉塞解除することができる。
【００２２】
図３はトランスファライン１４の先端部を拡大したもので、配線２１２は内管１４２と外管１４１の間の真空層の空間を通してヒータ２１１に結線される。
結線材料は絶縁被覆した低熱伝導率のマンガニンまたは細い銅線でよい。
配線２１２は常時、外部からの熱伝導侵入熱を低減するため、外管１４１の内側に接するように配線される。
【００２３】
この結果、加熱手段２１がトランスファライン１４に設置されているため、トランスファライン１４をデュワ１５から引き抜かなくても閉塞解除でき、閉塞時のヘリウムのロスを最小に抑えることができる冷媒注入用トランスファラインが得られる。
【００２４】
加熱手段２１はヒータ２１１と、ヒータ２１１に一端が接続された配線２１２とが設けられたので、加熱手段２１が簡潔に構成でき、安価な冷媒注入用トランスファラインが得られる。
【００２５】
配線２１２は、外管１４１への熱伝導により配線２１２が冷却されるため、外部からの熱伝導侵入熱を低減できる冷媒注入用トランスファラインが得られる。
【００２６】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２７】
１１    コンテナ側トランスファライン
１１１  外管
１１２  内管
１２    冷媒
１３    冷媒コンテナ
１４    デュワ側トランスファライン
１４１  外管
１４２  内管
１５    デュワ
１６    バヨネット
１７    加圧ガス管
１８    排気管
２１    加熱手段
２１１  ヒータ
２１２  配線
２２    電源
【図１】
2010196967.tif 000003
【図２】
2010196967.tif 000004
【図３】
2010196967.tif 000005
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
冷媒が貯蔵されたコンテナに一端が挿入され二重管よりなるコンテナ側トランスファラインと、デュワに一端が挿入され二重管よりなるデュワ側トランスファラインと、前記コンテナ側トランスファラインの他端と前記デュワ側トランスファラインの他端とを連結するバヨネットとを具備する冷媒注入用トランスファラインにおいて、
前記デュワ側トランスファラインの一端の前記二重管の内管と外管との間の設けられた加熱手段
を具備したことを特徴とする冷媒注入用トランスファライン。
【請求項２】
前記加熱手段はヒータと、
前記ヒータに一端が接続された配線と
を具備したことを特徴とする請求項１記載の冷媒注入用トランスファライン。
【請求項３】
前記配線は前記外管の内側に接するように設けられたこと
を特徴とする請求項２記載の冷媒注入用トランスファライン。
【手続補正２】
【補正対象書類名】明細書
【補正対象項目名】００１１
【補正方法】変更
【補正の内容】
【００１１】
このような課題を達成するために、本発明では、請求項１の冷媒注入用トランスファラインにおいては、
冷媒が貯蔵されたコンテナに一端が挿入され二重管よりなるコンテナ側トランスファラインと、デュワに一端が挿入され二重管よりなるデュワ側トランスファラインと、前記コンテナ側トランスファラインの他端と前記デュワ側トランスファラインの他端とを連結するバヨネットとを具備する冷媒注入用トランスファラインにおいて、
前記デュワ側トランスファラインの一端の前記二重管の内管と外管との間の設けられた加熱手段を具備したことを特徴とする。
【手続補正３】
【補正対象書類名】明細書
【補正対象項目名】００１９
【補正方法】変更
【補正の内容】
【００１９】
図１において、加熱手段２１は、デュワ側トランスファライン１４の一端の二重管の内管１４２と外管１４１との間に設けられている。
この場合は、加熱手段２１はヒータ２１１と、ヒータ２１１に一端が接続された配線２１２とを有する。